(57)【要約】【課題】高コスト化を招くことなく、発光パワーの制御に必要な情報を含む信号を精度良く安定して出力することができる光ピックアップ装置を提供する。【解決手段】光源５１ａから出射される光束は、その発光パワーがパワーモニタ手段によってモニタされ、そのパワーモニタ手段の出力信号は帯域制限手段７５によって所定の帯域制限を受ける。そこで、パワーモニタ手段の出力信号に含まれる高周波成分が除去されるように帯域制限手段を設定することにより、発光パワーの平均値に関する情報を含む信号がモニタ信号として出力されることとなり、情報記録媒体１５に情報を記録する際の記録速度が高速化しても光源から出射される光束の発光パワーを安定してモニタすることができる。従って、高コスト化を招くことなく、発光パワーの制御に必要な情報を含む信号を精度良く安定して出力することが可能となる。【選択図】  図２
2004199818.tif 000002
【特許請求の範囲】
【請求項１】
情報記録媒体の記録面に光を照射し、前記記録面からの反射光を受光する光ピックアップ装置であって、
光源と；
前記光源から出射される光束を前記記録面に集光するとともに、前記記録面で反射された戻り光束を所定の受光位置に導く光学系と；
前記受光位置に配置された光検出器と；
前記光源から出射される光束の発光パワーをモニタするパワーモニタ手段と；
前記パワーモニタ手段の出力信号に対して所定の帯域制限を行う帯域制限手段と；を備える光ピックアップ装置。
【請求項２】
前記帯域制限手段はローパスフィルタを含むことを特徴とする請求項１に記載の光ピックアップ装置。
【請求項３】
情報記録媒体の記録面上に光を照射し、情報の記録、再生、及び消去のうち少なくとも記録を行なう光ディスク装置であって、
請求項１又は２に記載の光ピックアップ装置と；
前記帯域制限手段の出力信号に基づいて前記光源の発光パワーを補正するパワー補正手段と；を備える光ディスク装置。
【請求項４】
情報記録媒体の記録面上に光を照射し、情報の記録、再生、及び消去のうち少なくとも記録を行なう光ディスク装置であって、
光源と；
前記光源から出射される光束の発光パワーをモニタするパワーモニタ手段と；
前記パワーモニタ手段の出力信号に対して所定の帯域制限を行う帯域制限手段と；
前記帯域制限手段の出力信号及び前記パワーモニタ手段の出力信号のいずれかを選択する選択手段と；
前記選択手段の出力信号に基づいて前記光源の発光パワーを補正するパワー補正手段と；を備える光ディスク装置。
【請求項５】
前記帯域制限手段はローパスフィルタを含むことを特徴とする請求項４に記載の光ディスク装置。
【請求項６】
前記選択手段は、記録速度が所定の閾値以上の場合に前記帯域制限手段の出力信号を選択し、記録速度が前記閾値未満の場合に前記パワーモニタ手段の出力信号を選択することを特徴とする請求項４又は５に記載の光ディスク装置。
【請求項７】
前記選択手段は、マーク領域を形成するタイミングで前記帯域制限手段の出力信号を選択し、スペース領域を形成するタイミングで前記パワーモニタ手段の出力信号を選択することを特徴とする請求項４又は５に記載の光ディスク装置。
【請求項８】
前記選択手段は、切替スイッチを備え、前記切替スイッチの設定状態に応じて前記帯域制限手段の出力信号及び前記パワーモニタ手段の出力信号のいずれかを選択することを特徴とする請求項４又は５に記載の光ディスク装置。
【請求項９】
前記パワー補正手段は、スペース領域を形成するタイミングでサンプルホールドする第１のサンプルホールド手段及びマーク領域を形成するタイミングでサンプルホールドする第２のサンプルホールド手段の少なくとも一方を備えることを特徴とする請求項３〜８のいずれか一項に記載の光ディスク装置。
【請求項１０】
前記パワー補正手段は、前記第１のサンプルホールド手段を備え、前記第１のサンプルホールド手段の出力信号に基づいて発光パワーを補正することを特徴とする請求項９に記載の光ディスク装置。
【請求項１１】
前記パワー補正手段は、スペース領域を形成する際の発光パワーを補正することを特徴とする請求項１０に記載の光ディスク装置。
【請求項１２】
前記パワー補正手段は、前記第２のサンプルホールド手段を備え、前記第２のサンプルホールド手段の出力信号に基づいて発光パワーを補正することを特徴とする請求項９に記載の光ディスク装置。
【請求項１３】
前記パワー補正手段は、マーク領域を形成する際の発光パワーを補正することを特徴とする請求項１２に記載の光ディスク装置。
【請求項１４】
前記パワー補正手段は、前記第１のサンプルホールド手段と前記第２のサンプルホールド手段とを備え、各サンプルホールド手段の出力信号に基づいて発光パワーを補正することを特徴とする請求項９に記載の光ディスク装置。
【請求項１５】
前記パワー補正手段は、前記第１のサンプルホールド手段の出力信号に基づいてスペース領域を形成する際の発光パワーを補正し、前記第２のサンプルホールド手段の出力信号に基づいてマーク領域を形成する際の発光パワーを補正することを特徴とする請求項１４に記載の光ディスク装置。
【請求項１６】
前記情報記録媒体への記録はマルチパルス記録方式で行われ、
前記パワー補正手段は、ピークパワー、イレーズパワー及びバイアスパワーの少なくとも１つを補正することを特徴とする請求項３〜１５のいずれか一項に記載の光ディスク装置。
【請求項１７】
前記情報記録媒体への記録は単パルス記録方式で行われ、前記パワー補正手段は、ピークパワー及びバイアスパワーの少なくとも一方を補正することを特徴とする請求項３〜１５のいずれか一項に記載の光ディスク装置。
【発明の詳細な説明】
【０００１】
【発明の属する技術分野】
本発明は光ピックアップ装置及び光ディスク装置に係り、さらに詳しくは、情報記録媒体の記録面に光を照射し、その記録面からの反射光を受光する光ピックアップ装置及び情報記録媒体に情報を記録する光ディスク装置に関する。
【０００２】
【従来の技術】
近年、パーソナルコンピュータ（以下「パソコン」ともいう）は、その機能が向上するに伴い、音楽や映像といったＡＶ（Audio-Visual）情報を取り扱うことが可能となってきた。これらＡＶ情報の情報量は非常に大きいために、情報記録媒体としてＣＤ（compact disc）やＤＶＤ（digital versatile disc）などの光ディスクが注目されるようになり、その低価格化とともに、情報記録装置としての光ディスク装置がパソコンの周辺機器の一つとして普及するようになった。光ディスク装置では、光ディスクのスパイラル状又は同心円状のトラックが形成された記録面にレーザ光の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するための装置として、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
光ディスクでは、互いに反射率の異なるマーク領域及びスペース領域のそれぞれの長さとそれらの組み合わせとによって情報が記録される。そこで、光ディスクに情報を記録する際には所定の位置にマーク領域及びスペース領域がそれぞれ形成されるように光源の発光パワーが制御される。
【０００５】
記録層に有機色素を含むＣＤ−Ｒ（ＣＤ−recordable）、ＤＶＤ−Ｒ（ＤＶＤ−recordable）及びＤＶＤ＋Ｒ（ＤＶＤ＋recordable）などの追記型の光ディスク（以下、便宜上「色素型ディスク」ともいう）では、一例として図１０（Ａ）に示されるように、書き込みデータＭＤにおけるマーク領域Ｍを形成するときには発光パワーＬＰを大きく（図１０（Ａ）ではＰｗ）して色素を加熱及び溶解し、そこに接している基板部分を変質・変形させている。一方、スペース領域Ｓを形成するときには基板が変質・変形しないように発光パワーＬＰを再生時と同程度に小さく（図１０（Ａ）ではＰｒ）している。これにより、マーク領域ではスペース領域よりも反射率が低くなる。このような発光パワーの制御方式は、単パルス記録方式とも呼ばれている。なお、マーク領域を形成するときの発光パワーはピークパワー（又は記録パワー）、スペース領域を形成するときの発光パワーはバイアスパワーとも呼ばれている。すなわち、２種類の発光パワーを有している。
【０００６】
また、記録層に特殊合金を含むＣＤ−ＲＷ（ＣＤ−rewritable）、ＤＶＤ−ＲＷ（ＤＶＤ−rewritable）、及びＤＶＤ＋ＲＷ（ＤＶＤ＋rewritable）などの書き換え可能な光ディスク（以下、便宜上「相変化型ディスク」ともいう）では、マーク領域を形成する時には、特殊合金を第１の温度に加熱したのち急冷し、アモルファス（非晶質）状態にしている。一方、スペース領域を形成する時には、特殊合金を第２の温度（＜第１の温度）に加熱したのち徐冷し、結晶状態にしている。これにより、マーク領域では、スペース領域よりも反射率が低くなる。この場合には、一例として図１０（Ｂ）に示されるように、蓄熱の影響を除去するために、マーク領域を形成するときの発光パワーを複数のパルスに分割（マルチパルス化）することが行なわれている。このような発光パワーの制御方式はマルチパルス記録方式とも呼ばれている。このマルチパルス記録方式において、マーク領域を形成するときの発光パワーをマルチパルス化する規則は、記録ストラテジと呼ばれている。なお、記録ストラテジにおける加熱時の発光パワーＰｗはピークパワー（又は記録パワー）、冷却時の発光パワーＰｒはバイアスパワーとも呼ばれ、スペース領域を形成するときの発光パワーＰｅはイレーズパワー（又は消去パワー）とも呼ばれている。すなわち、３種類の発光パワーを有している。なお、記録速度の高速化に伴い、色素型ディスクであっても、例えばＤＶＤ系の光ディスク（ＤＶＤ−Ｒ、ＤＶＤ＋Ｒなど）では、一例として図１０（Ｃ）に示されるように、マルチパルス記録方式が提案されている。但し、この場合には、記録ストラテジにおける冷却時の発光パワーはスペース領域を形成するときの発光パワーと同じとなる。すなわち、発光パワーはピークパワーＰｗとバイアスパワーＰｒの２種類となる。
【０００７】
通常、半導体レーザなどの光源は電流駆動型であり、その発光パワーはドライバから供給される電流（駆動電流）によって制御されている。この駆動電流と発光パワーとの関係は「Ｉ−Ｌ特性」と呼ばれている。一般に、光源では駆動電流の一部が熱に変換されるため、使用中に光源の温度が徐々に上昇し、Ｉ−Ｌ特性が変化する場合がある。すなわち、駆動電流が一定であっても発光パワーが変動することとなる。そこで、記録中には随時、光源から出射される光束の発光パワーをモニタし、発光パワーの変動を抑制する、いわゆるＡＰＣ（Automatic Power Control）が行われている。しかしながら、近年記録速度の高速化により、パルス幅が非常に短くなり、特にピークパワーのモニタ精度が低下するようになってきた。そこで、ピークパワーを精度良くモニタするためのいくつかの方法及び装置が提案されている（例えば、特許文献１及び特許文献２参照）。
【０００８】
【特許文献１】
特開平１１−２１３４２９号公報
【特許文献２】
特開平１１−１３４６９２号公報
【０００９】
【発明が解決しようとする課題】
しかしながら、上記特許文献１及び特許文献２に開示されている光ディスク装置では、マルチパルス化された記録信号における一部の複数パルスを１つのパルスに変更してパルス幅を広くすることによって、ピークパワーのモニタ精度を向上させているために、特殊合金のアモルファス化が不十分となり、記録品質が劣化するおそれがあった。
【００１０】
また、例えばノート型のパソコンに内臓される光ディスク装置では、光ディスクの出し入れに伴って光ピックアップ装置が移動することや、レイアウト上の制約などにより、光ピックアップ装置と信号処理用の回路基板との間の信号ケーブルの長さが例えばデスクトップ型のパソコンに内臓される光ディスク装置の場合に比べて長くなることがある。高速記録に対応した光ディスク装置では、モニタ用の光束を受光する受光素子（ＦＳＰＤ）から出力される信号（モニタ信号）を増幅するアンプとして広帯域アンプが一般的に用いられている。この広帯域アンプは、信号ケーブルが長くなり、いわゆる容量性負荷が増大すると動作が不安定となり、例えばリンギングを発生したり、最悪の場合には発振することがある。その結果、発光パワーのモニタ精度が低下し、記録品質が劣化するおそれがあった。
【００１１】
本発明は、かかる事情の下になされたもので、その第１の目的は、高コスト化を招くことなく、発光パワーの制御に必要な情報を含む信号を精度良く安定して出力することができる光ピックアップ装置を提供することにある。
【００１２】
また、本発明の第２の目的は、記録品質に優れた記録を高速度で安定して行うことができる光ディスク装置を提供することにある。
【００１３】
【課題を解決するための手段】
請求項１に記載の発明は、情報記録媒体の記録面に光を照射し、前記記録面からの反射光を受光する光ピックアップ装置であって、光源と；前記光源から出射される光束を前記記録面に集光するとともに、前記記録面で反射された戻り光束を所定の受光位置に導く光学系と；前記受光位置に配置された光検出器と；前記光源から出射される光束の発光パワーをモニタするパワーモニタ手段と；前記パワーモニタ手段の出力信号に対して所定の帯域制限を行う帯域制限手段と；を備える光ピックアップ装置である。
【００１４】
これによれば、光源から出射される光束は、その発光パワーがパワーモニタ手段によってモニタされ、そのパワーモニタ手段の出力信号は帯域制限手段によって所定の帯域制限を受ける。そこで、例えばパワーモニタ手段の出力信号に含まれる高周波成分が制限されるように帯域制限手段を設定する。これにより、発光パワーの平均値に関する情報を含む信号がモニタ信号として出力されることとなり、情報記録媒体に情報を記録する際の記録速度が高速化しても光源から出射される光束の発光パワーを安定してモニタすることができる。また、例えばパワーモニタ手段の出力信号を増幅するために広帯域アンプが用いられても、帯域制限手段によってリンギングなどの影響を除去することが可能なため、安定したモニタ信号を出力することができる。さらに、帯域制限手段は安価な汎用部品で容易に構成することができるため、部品コストや作業コストの上昇を極めて低く抑えることができる。従って、結果として高コスト化を招くことなく、発光パワーの制御に必要な情報を含む信号を精度良く安定して出力することが可能となる。
【００１５】
この場合において、請求項２に記載の光ピックアップ装置の如く、前記帯域制限手段はローパスフィルタを含むこととすることができる。
【００１６】
請求項３に記載の発明は、情報記録媒体の記録面上に光を照射し、情報の記録、再生、及び消去のうち少なくとも記録を行なう光ディスク装置であって、請求項１又は２に記載の光ピックアップ装置と；前記帯域制限手段の出力信号に基づいて前記光源の発光パワーを補正するパワー補正手段と；を備える光ディスク装置である。
【００１７】
これによれば、請求項１又は２に記載の光ピックアップ装置における帯域制限手段の出力信号に基づいて光源の発光パワーがパワー補正手段によって補正されるため、例えば情報記録媒体に情報を高速度で記録する場合であっても、発光パワーを精度良く安定して補正することができる。その結果、記録品質に優れた記録を高速度で安定して行うことが可能となる。
【００１８】
請求項４に記載の発明は、情報記録媒体の記録面上に光を照射し、情報の記録、再生、及び消去のうち少なくとも記録を行なう光ディスク装置であって、光源と；前記光源から出射される光束の発光パワーをモニタするパワーモニタ手段と；前記パワーモニタ手段の出力信号に対して所定の帯域制限を行う帯域制限手段と；前記帯域制限手段の出力信号及び前記パワーモニタ手段の出力信号のいずれかを選択する選択手段と；前記選択手段の出力信号に基づいて前記光源の発光パワーを補正するパワー補正手段と；を備える光ディスク装置である。
【００１９】
これによれば、光源から出射される光束は、その発光パワーがパワーモニタ手段によってモニタされ、そのパワーモニタ手段の出力信号は帯域制限手段によって所定の帯域制限を受ける。そして、帯域制限手段及びパワーモニタ手段から出力される信号のいずれかが選択手段によって選択され、その選択された信号に基づいて光源の発光パワーがパワー補正手段によって補正される。そこで、例えば情報記録媒体に情報を記録する際に、選択手段では発光パワーの補正に用いられる信号が比較的安定して精度良く抽出できる方を選択することにより、パワー補正手段では発光パワーを精度良く補正することができる。その結果、記録品質に優れた記録を高速度で安定して行うことが可能となる。
【００２０】
この場合において、請求項５に記載の光ディスク装置の如く、前記帯域制限手段はローパスフィルタを含むこととすることができる。
【００２１】
上記請求項４及び５に記載の各光ディスク装置において、請求項６に記載の光ディスク装置の如く、前記選択手段は、記録速度が所定の閾値以上の場合に前記帯域制限手段の出力信号を選択し、記録速度が前記閾値未満の場合に前記パワーモニタ手段の出力信号を選択することとすることができる。
【００２２】
上記請求項４及び５に記載の各光ディスク装置において、請求項７に記載の光ディスク装置の如く、前記選択手段は、マーク領域を形成するタイミングで前記帯域制限手段の出力信号を選択し、スペース領域を形成するタイミングで前記パワーモニタ手段の出力信号を選択することとすることができる。
【００２３】
上記請求項４及び５に記載の各光ディスク装置において、請求項８に記載の光ディスク装置の如く、前記選択手段は、切替スイッチを備え、前記切替スイッチの設定状態に応じて前記帯域制限手段の出力信号及び前記パワーモニタ手段の出力信号のいずれかを選択することとすることができる。
【００２４】
上記請求項３〜８に記載の各光ディスク装置において、請求項９に記載の光ディスク装置の如く、前記パワー補正手段は、スペース領域を形成するタイミングでサンプルホールドする第１のサンプルホールド手段及びマーク領域を形成するタイミングでサンプルホールドする第２のサンプルホールド手段の少なくとも一方を備えることとすることができる。
【００２５】
この場合において、請求項１０に記載の光ディスク装置の如く、前記パワー補正手段は、前記第１のサンプルホールド手段を備え、前記第１のサンプルホールド手段の出力信号に基づいて発光パワーを補正することとすることができる。
【００２６】
この場合において、請求項１１に記載の光ディスク装置の如く、前記パワー補正手段は、スペース領域を形成する際の発光パワーを補正することとすることができる。
【００２７】
上記請求項９に記載の光ディスク装置において、請求項１２に記載の光ディスク装置の如く、前記パワー補正手段は、前記第２のサンプルホールド手段を備え、前記第２のサンプルホールド手段の出力信号に基づいて発光パワーを補正することとすることができる。
【００２８】
この場合において、請求項１３に記載の光ディスク装置の如く、前記パワー補正手段は、マーク領域を形成する際の発光パワーを補正することとすることができる。
【００２９】
上記請求項９に記載の光ディスク装置において、請求項１４に記載の光ディスク装置の如く、前記パワー補正手段は、前記第１のサンプルホールド手段と前記第２のサンプルホールド手段とを備え、各サンプルホールド手段の出力信号に基づいて発光パワーを補正することとすることができる。
【００３０】
この場合において、請求項１５に記載の光ディスク装置の如く、前記パワー補正手段は、前記第１のサンプルホールド手段の出力信号に基づいてスペース領域を形成する際の発光パワーを補正し、前記第２のサンプルホールド手段の出力信号に基づいてマーク領域を形成する際の発光パワーを補正することとすることができる。
【００３１】
上記請求項３〜１５に記載の各光ディスク装置において、請求項１６に記載の光ディスク装置の如く、前記情報記録媒体への記録はマルチパルス記録方式で行われ、前記パワー補正手段は、ピークパワー、イレーズパワー及びバイアスパワーの少なくとも１つを補正することとすることができる。
【００３２】
上記請求項３〜１５に記載の各光ディスク装置において、請求項１７に記載の光ディスク装置の如く、前記情報記録媒体への記録は単パルス記録方式で行われ、前記パワー補正手段は、ピークパワー及びバイアスパワーの少なくとも一方を補正することとすることができる。
【００３３】
【発明の実施の形態】
以下、本発明の一実施形態を図１〜図９に基づいて説明する。図１には、本発明の一実施形態に係る光ディスク装置の概略構成を示すブロック図が示されている。
【００３４】
この図１に示される光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０及びＲＡＭ４１などを備えている。なお、図１における矢印は、代表的な信号や情報の流れを示すものであり、各ブロックの接続関係の全てを表すものではない。また、光ディスク装置２０は、一例としてＣＤ系（ＣＤ−Ｒ、ＣＤ−ＲＷなど）の規格に準拠した情報記録媒体に対応しているものとする。そして、ユーザデータはＣＤ−Ｒに対しては単パルス記録方式で記録され、ＣＤ−ＲＷに対してはマルチパルス記録方式で記録されるものとする。
【００３５】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、第１のビームスプリッタ５４、第２のビームスプリッタ７１、対物レンズ６０、第１の検出レンズ５８、光検出器としての第１の受光器５９、第２の検出レンズ７２、第２の受光器７３、第１のアンプ（ＡＭＰ）７４ａ、第２のアンプ（ＡＭＰ）７４ｂ、ローパスフィルタ（ＬＰＦ）７５、選択手段としてのマルチプレクサ（ＭＵＸ）７６及び駆動系（フォーカシングアクチュエータ、トラッキングアクチュエータ及びシークモータ（いずれも図示省略））などを備えている。
【００３６】
前記光源ユニット５１は、波長が７８０ｎｍの光束を出射する光源としての半導体レーザ５１ａを含んで構成されている。なお、本実施形態では、半導体レーザ５１ａから出射される光束の最大強度出射方向を＋Ｘ方向とする。前記コリメートレンズ５２は、光源ユニット５１の＋Ｘ側に配置され、半導体レーザ５１ａから出射された光束を略平行光とする。
【００３７】
前記第２のビームスプリッタ７１は、コリメートレンズ５２の＋Ｘ側に配置され、半導体レーザ５１ａから出射された光束の一部をモニタ用光束として−Ｚ方向に分岐する。前記第１のビームスプリッタ５４は、第２のビームスプリッタ７１の＋Ｘ側に配置され、光ディスク１５からの戻り光束を−Ｚ方向に分岐する。前記対物レンズ６０は、第１のビームスプリッタ５４の＋Ｘ側に配置され、第１のビームスプリッタ５４を透過した光束を光ディスク１５の記録面に集光する。
【００３８】
前記第１の検出レンズ５８は、第１のビームスプリッタ５４の−Ｚ側に配置され、第１のビームスプリッタ５４で−Ｚ方向に分岐された戻り光束を前記第１の受光器５９の受光面に集光する。第１の受光器５９は、通常の光ディスク装置と同様に、ウォブル信号情報、再生データ情報、フォーカスエラー情報及びトラックエラー情報などを含む信号を出力する複数の受光素子を含んで構成されている。
【００３９】
前記第２の検出レンズ７２は、第２のビームスプリッタ７１の−Ｚ側に配置され、第２のビームスプリッタ７１で−Ｚ方向に分岐されたモニタ用光束を前記第２の受光器７３の受光面に集光する。第２の受光器７３としては通常の受光素子が用いられる。
【００４０】
前記第１のアンプ７４ａは、第１の受光器５９の出力信号を所定のゲインで増幅する。ここで増幅された信号は再生信号処理回路２８に出力される。前記第２のアンプ７４ｂは、第２の受光器７３の出力信号を所定のゲインで増幅する。なお、第１のアンプ７４ａと第２のアンプ７４ｂとは一体化されても良い。また、各アンプは、高速記録に対応できるように広帯域アンプである。前記ローパスフィルタ７５は、第２のアンプ７４ｂの出力信号Ｓａｍｐに含まれる高周波成分を除去する。すなわち、平均化された発光パワーに関する情報を含む信号Ｓｌｐｆがローパスフィルタ７５から出力されることとなる。
【００４１】
前記マルチプレクサ７６は、エンコーダ２５からのセレクト信号ＳＥＬに基づいて、第２のアンプ７４ｂの出力信号Ｓａｍｐ、及びローパスフィルタ７５の出力信号Ｓｌｐｆのいずれかを選択し、モニタ信号Ｓｍｕｘとして再生信号処理回路２８に出力する。ここでは、一例として、セレクト信号ＳＥＬが「０」（ローレベル）のときは第２のアンプ７４ｂの出力信号Ｓａｍｐが選択され、セレクト信号ＳＥＬが「１」（ハイレベル）のときはローパスフィルタ７５の出力信号Ｓｌｐｆが選択されるものとする。換言すれば、マルチプレクサ７６はローパスフィルタ７５のオン／オフ・スイッチの役割を有している。
【００４２】
上記のように構成される光ピックアップ装置２３の作用を簡単に説明すると、半導体レーザ５１ａから出射された光束（以下「出射光束」ともいう）は、コリメートレンズ５２で略平行光とされた後、その一部が第２のビームスプリッタ７１で−Ｚ方向に分岐され、残りは第１のビームスプリッタ５４に入射する。第１のビームスプリッタ５４を透過した出射光束は、対物レンズ６０を介して光ディスク１５の記録面に微小スポットとして集光される。光ディスク１５の記録面にて反射した反射光は、戻り光束として対物レンズ６０で略平行光とされ、第１のビームスプリッタ５４に入射する。第１のビームスプリッタ５４で−Ｚ方向に分岐された戻り光束は、第１の検出レンズ５８を介して第１の受光器５９で受光される。第１の受光器５９からは受光量に応じた信号が出力され、その信号は第１のアンプ７４ａで増幅された後、再生信号処理回路２８に出力される。また、第２のビームスプリッタ７１で−Ｚ方向に分岐された出射光束はモニタ用光束として、第２の検出レンズ７２を介して第２の受光器７３で受光される。第２の受光器７３からは受光量に応じた信号が出力され、その信号は第２のアンプ７４ｂで増幅された後、マルチプレクサ７６の設定状態に応じて、ローパスフィルタ７５を介して又はローパスフィルタ７５を介さずに再生信号処理回路２８に出力される。
【００４３】
前記再生信号処理回路２８は、図３に示されるように、第１のＩ／Ｖアンプ２８ａ、サーボ信号検出回路２８ｂ、ウォブル信号検出回路２８ｃ、ＲＦ信号検出回路２８ｄ、デコーダ２８ｅ、第２のＩ／Ｖアンプ２８ｆ、第１のサンプルホールド回路２８ｇ、第２のサンプルホールド回路２８ｈ及びＡ／Ｄ変換器２８ｉなどから構成されている。
【００４４】
前記第１のＩ／Ｖアンプ２８ａは第１のアンプ７４ａの出力信号である電流信号を電圧信号に変換する。前記サーボ信号検出回路２８ｂは第１のＩ／Ｖアンプ２８ａの出力信号に基づいてサーボ信号（フォーカスエラー信号やトラックエラー信号など）を検出する。ここで検出されたサーボ信号はサーボコントローラ３３に出力される。前記ウォブル信号検出回路２８ｃは第１のＩ／Ｖアンプ２８ａの出力信号に基づいてウォブル信号を検出する。前記ＲＦ信号検出回路２８ｄは第１のＩ／Ｖアンプ２８ａの出力信号に基づいてＲＦ信号を検出する。
【００４５】
前記デコーダ２８ｅは、ウォブル信号検出回路２８ｃで検出されたウォブル信号からＡＴＩＰ（Absolute Time In Pregroove）情報及び同期信号などを抽出する。ここで抽出されたＡＴＩＰ情報はＣＰＵ４０に出力され、同期信号はエンコーダ２５に出力される。また、デコーダ２８ｅは、ＲＦ信号検出回路２８ｄで検出されたＲＦ信号に対して復調処理及び誤り訂正処理などを行った後、再生情報としてバッファマネージャ３７を介してバッファＲＡＭ３４に格納する。なお、再生情報が音楽データの場合にはデコーダ２８ｅからの信号はＤ／Ａコンバータ（図示省略）を介して外部のオーディオ機器などに出力される。
【００４６】
前記第２のＩ／Ｖアンプ２８ｆはマルチプレクサ７６の出力信号である電流信号を電圧信号に変換する。前記第１のサンプルホールド回路２８ｇは、第２のＩ／Ｖアンプ２８ｆの出力信号に対して、ＣＰＵ４０からのタイミング信号ＳＴ１に同期してサンプリング／ホールドを行う。第１のサンプルホールド回路２８ｇの出力信号は、Ａ／Ｄ変換器２８ｉでデジタル信号ＳＰ１に変換された後、ＣＰＵ４０に通知される。前記第２のサンプルホールド回路２８ｈは、第２のＩ／Ｖアンプ２８ｆの出力信号に対して、ＣＰＵ４０からのタイミング信号ＳＴ２に同期してサンプリング／ホールドを行う。第２のサンプルホールド回路２８ｈの出力信号は、Ａ／Ｄ変換器２８ｉでデジタル信号ＳＰ２に変換された後、ＣＰＵ４０に通知される。なお、本実施形態では、一例として各サンプルホールド回路では、タイミング信号の立ち上がりに同期してサンプリングを開始し、立ち下りに同期してそのときの入力信号をホールドするものとする。また、各サンプルホールド回路は、特に高速対応である必要はなく、一般の汎用部品で構成されている。
【００４７】
図１に戻り、前記サーボコントローラ３３は、再生信号処理回路２８からのフォーカスエラー信号に基づいてフォーカスずれを補正する制御信号を生成し、トラックエラー信号に基づいてトラックずれを補正する制御信号を生成する。ここで生成された各制御信号はそれぞれモータドライバ２７に出力される。
【００４８】
前記モータドライバ２７は、サーボコントローラ３３からの各制御信号に基づいて、光ピックアップ装置の各アクチュエータをそれぞれ駆動する。すなわち、サーボ信号検出回路２８ｂ、サーボコントローラ３３及びモータドライバ２７によってトラッキング制御及びフォーカス制御が行われる。また、モータドライバ２７は、ＣＰＵ４０の指示に基づいてスピンドルモータ２２及び光ピックアップ装置のシークモータを駆動する。
【００４９】
前記エンコーダ２５は、ＣＰＵ４０の指示に基づいて、バッファＲＡＭ３４に蓄積されているデータをバッファマネージャ３７を介して取り出し、データ変調及びエラー訂正コードの付加などを行ない、光ディスク１５への書き込み信号を生成するとともに、その書き込み信号を再生信号処理回路２８からの同期信号に同期してレーザコントロール回路２４に出力する。また、エンコーダ２５は、ＣＰＵ４０の指示に応じてマルチプレクサ７６にセレクト信号ＳＥＬを出力する。
【００５０】
前記レーザコントロール回路２４は、図４に示されるように、Ｄ／Ａ変換器２４ａ、パルス調整回路２４ｂ、及び駆動電流出力回路２４ｃなどから構成されている。Ｄ／Ａ変換器２４ａは、ＣＰＵ４０からのパワー信号Ｄｐ１、Ｄｐ２及びＤｐ３を電流信号Ｉｐ１、Ｉｐ２及びＩｐ３にそれぞれ変換する。図５（Ａ）及び（Ｂ）に示されるように、Ｉｐ１はバイアスパワーＰｒに対応する電流信号、Ｉｐ２はピークパワーＰｗとバイアスパワーＰｒとの差に対応する電流信号、Ｉｐ３はイレーズパワーＰｅとバイアスパワーＰｒとの差に対応する電流信号である。なお、図５（Ａ）は光ディスク１５がＣＤ−Ｒの場合について示され、図５（Ｂ）は光ディスク１５がＣＤ−ＲＷの場合について示されている。
【００５１】
図４に戻り、パルス調整回路２４ｂは、ＣＰＵ４０からのパルス調整信号Ｓｐｕｌｓに基づいてエンコーダ２５からの書き込み信号ＷＤに対してパルスを調整するとともに、パルス調整された書き込み信号に応じて重畳フラグ信号ＥＦＭ１、ＥＦＭ２を生成し、駆動電流出力回路２４ｃにそれぞれ出力する。各重畳フラグ信号としては「０」又は「１」が出力される。
【００５２】
駆動電流出力回路２４ｃは、各重畳フラグ信号に応じた駆動電流を半導体レーザ５１ａに供給する。ここでは、一例として図６（Ａ）及び図６（Ｂ）に示されるように、駆動電流出力回路２４ｃは、ＥＦＭ１及びＥＦＭ２がいずれも「０」のときは、Ｉｐ１（以下、「バイアス電流」ともいう）を駆動電流Ｉｄｒｖとし、ＥＦＭ１のみが「１」のときは、Ｉｐ１＋Ｉｐ２（以下、「ピーク電流」ともいう）を駆動電流Ｉｄｒｖとする。また、ＥＦＭ２のみが「１」のときは、Ｉｐ１＋Ｉｐ３（以下、「イレーズ電流」ともいう）を駆動電流Ｉｄｒｖとする。なお、ここでは、ＥＦＭ１及びＥＦＭ２がいずれも「１」となることはない。また、図６（Ａ）は光ディスク１５がＣＤ−Ｒの場合について示され、図６（Ｂ）は光ディスク１５がＣＤ−ＲＷの場合について示されている。
【００５３】
図１に戻り、前記インターフェース３８は、ホスト（例えばパソコン）との双方向の通信インターフェースであり、ＡＴＡＰＩ（AT Attachment Packet Interface）、ＳＣＳＩ（Small Computer System Interface）及びＵＳＢ（UniversalSerial Bus）などの標準インターフェースに準拠している。
【００５４】
前記ＲＯＭ３９はプログラム領域とデータ領域とを備えており、プログラム領域には、ＣＰＵ４０にて解読可能なコードで記述されたプログラムが格納されている。また、ＲＯＭ３９のデータ領域には、各サンプルホールド回路の出力信号から発光パワーを求めるための換算式（以下、便宜上「パワー換算式」という）が格納されている。さらに、ＲＯＭ３９のデータ領域には、光ディスクの種類毎に、最適なバイアスパワー、ピークパワー及びイレーズパワー（相変化型ディスクのみ）を含むパワー情報や、記録ストラテジなどのパルス情報が格納されている。
【００５５】
前記ＣＰＵ４０は、ＲＯＭ３９のプログラム領域に格納されているプログラムに従って上記各部の動作を制御するとともに、制御に必要なデータなどを一時的にＲＡＭ４１に保存する。
【００５６】
ここで、前述のように構成される光ディスク装置２０の所定位置に光ディスク１５がローディングされたときのＣＰＵ４０の処理動作について説明する。
【００５７】
光ディスク１５のローディングを検知すると、光ディスク１５を所定の線速度（例えば１倍速）で回転させ、反射率に基づいて光ディスク１５が色素型ディスクであるか相変化型ディスクであるかを検出する。ここでは、反射率が大きい（例えば６５％以上）ときは色素型ディスク（この場合はＣＤ−Ｒ）であり、反射率が小さい（例えば２０％程度）ときは相変化型ディスク（この場合はＣＤ−ＲＷ）であると判断する。
【００５８】
次に、検出結果に対応したバイアスパワーをパワー信号Ｄｐ１としてパワーコントロール回路のＤ／Ａ変換器２４ａに出力する。そして、光ディスク１５の所定位置に記録されている光ディスク１５の種類を識別する情報（識別情報）を読み出すとともに、その識別情報に基づいて、ＲＯＭ３９のデータ領域に格納されているパワー情報及びパルス情報を参照し、光ディスク１５に最適なパワー情報及びパルス情報を抽出する。なお、光ディスク１５の所定位置に記録されているパワー情報及びパルス情報を用いても良い。
【００５９】
続いて、抽出したパワー情報に基づいて、パワー信号Ｄｐ１、Ｄｐ２、Ｄｐ３をパワーコントロール回路のＤ／Ａ変換器２４ａに出力する。なお、パワー信号Ｄｐ３は光ディスク１５が相変化型ディスクの場合にのみ出力される。また、抽出したパルス情報に基づいて、パルス調整信号Ｓｐｕｌｓをパワーコントロール回路のパルス調整回路２４ｂに出力する。そして、光ディスク１５がローディングされたときの処理を終了する。
【００６０】
次に、光ディスク装置２０を用いて、光ディスク１５にデータを記録する場合の処理動作について簡単に説明する。なお、上述した光ディスク１５がローディングされたときの処理は、すでに行われているものとする。
【００６１】
ＣＰＵ４０はホストから記録要求のコマンドを受信すると、記録速度に基づいてスピンドルモータ２２の回転を制御するための制御信号をモータドライバ２７に出力するとともに、ホストから記録要求のコマンドを受信した旨を再生信号処理回路２８に通知する。また、ＣＰＵ４０はホストから受信したユーザデータをバッファＲＡＭ３４に蓄積するようにバッファマネージャ３７に指示する。
【００６２】
ＣＰＵ４０は、エンコーダ２５を介してセレクト信号ＳＥＬに「０」又は「１」をセットする。ここでは、一例として記録速度が所定の閾値未満のときに「０」をセットし、記録速度が所定の閾値以上のときに「１」をセットするものとする。なお、上記閾値は例えばホストから任意の値を設定、及び任意の値に変更することができる。
【００６３】
光ディスク１５の回転が所定の線速度に達すると、前述した如く、トラッキング制御及びフォーカス制御が行われる。なお、トラッキング制御及びフォーカス制御は記録処理が終了するまで随時行われる。また、再生信号処理回路２８は、所定のタイミング毎に前記ＡＴＩＰ情報を抽出し、ＣＰＵ４０に通知する。
【００６４】
ＣＰＵ４０は、ＡＴＩＰ情報に基づいて、指定された書き込み開始地点に光ピックアップ装置２３が位置するようにシークモータを制御する信号をモータドライバ２７に出力する。
【００６５】
ＣＰＵ４０は、バッファマネージャ３７からバッファＲＡＭ３４に蓄積されたユーザデータのデータ量が所定の量を超えたとの通知を受けると、エンコーダ２５に書き込み信号の作成を指示する。そして、光ピックアップ装置２３が書き込み開始地点に到達すると、エンコーダ２５に通知する。これにより、ユーザデータは、エンコーダ２５、レーザコントロール回路２４及び光ピックアップ装置２３を介して光ディスク１５に記録される。ホストからのユーザデータがすべて記録されると記録処理を終了する。
【００６６】
続いて、上記ユーザデータの記録中に随時行われる発光パワーの補正処理について説明する。
【００６７】
先ず、光ディスク１５がＣＤ−Ｒであって、指定された記録速度が前記閾値未満の場合について説明する。従って、セレクト信号ＳＥＬには「０」がセットされている。
【００６８】
ＣＰＵ４０は、ユーザデータの記録が開始されると、書き込み信号に同期してタイミング信号ＳＴ１、ＳＴ２を生成し、それぞれを対応するサンプルホールド回路に出力する。ここでは、一例として図７（Ａ）に示されるように、スペース領域を形成するときの発光パワーに対応する信号レベルをサンプルホールドするためのパルス信号がタイミング信号ＳＴ１として第１のサンプルホールド回路２８ｇに出力され、マーク領域を形成するときの発光パワーに対応する信号レベルをサンプルホールドするためのパルス信号がタイミング信号ＳＴ２として第２のサンプルホールド回路２８ｈに出力される。
【００６９】
マルチプレクサ７６は、セレクト信号ＳＥＬが「０」であるために、一例として図７（Ａ）に示されるように、第２のアンプ７４ｂの出力信号Ｓａｍｐを選択し、モニタ信号Ｓｍｕｘとして再生信号処理回路２８に出力する。
【００７０】
モニタ信号Ｓｍｕｘは、第２のＩ／Ｖアンプ２８ｆで電圧信号に変換され、各サンプルホールド回路でサンプルホールドされた後、Ａ／Ｄ変換器２８ｉを介してＣＰＵ４０に出力される。ここでは、Ａ／Ｄ変換器２８ｉから出力される信号ＳＰ１は駆動電流Ｉｐ１に対応する発光パワーに関する情報を含み、信号ＳＰ２は駆動電流Ｉｐ１＋Ｉｐ２に対応する発光パワーに関する情報を含んでいる。
【００７１】
ＣＰＵ４０は、前記パワー換算式を用いて信号ＳＰ１から発光パワーを算出するとともに、ＲＯＭ３９から抽出したバイアスパワー（以下、便宜上「最適バイアスパワー」ともいう）と比較し、所定の値以上の差がある場合には、その差に対応する電流値を予め得られている微分効率（ＬＤ効率）に基づいて算出する。そして、ＣＰＵ４０は、その算出結果から電流信号Ｉｐ１を修正し、その修正された電流信号Ｉｐ１に応じたパワー信号Ｄｐ１を出力する。これにより、スペース領域を形成するときの発光パワーを最適バイアスパワーとほぼ一致させることができる。
【００７２】
また、ＣＰＵ４０は、前記パワー換算式を用いて信号ＳＰ２から発光パワーを算出するとともに、ＲＯＭ３９から抽出したピークパワー（以下、便宜上「最適ピークパワー」ともいう）とを比較し、所定の値以上の差がある場合には、その差に対応する電流値を微分効率に基づいて算出する。そして、ＣＰＵ４０は、その算出結果に基づいて電流信号Ｉｐ２を修正し、その修正された電流信号Ｉｐ２に応じたパワー信号Ｄｐ２を出力する。なお、電流信号Ｉｐ１を修正した場合には、その修正を考慮して電流信号Ｉｐ２の修正が必要か否かが判断される。これにより、マーク領域を形成するときの発光パワーを最適ピークパワーとほぼ一致させることができる。
【００７３】
なお、ここでは、発光パワーと駆動電流とがほぼ線形の関係にあることを利用して電流信号Ｉｐ２を修正しても良い。例えば最適バイアスパワーが１ｍＷ、最適ピークパワーが１０ｍＷであり、微分効率が２０ｍＷ／１００ｍＡの場合には、電流信号Ｉｐ２は４５ｍＡ（＝（１０−１）×１００／２０）となる。そこで、ＣＰＵ４０は、４５ｍＡに対応するパワー信号Ｄｐ２を出力すれば良い。これにより、処理が簡略化され、処理を高速化することができる。
【００７４】
次に、光ディスク１５がＣＤ−Ｒであって、記録速度が前記閾値以上の場合について説明する。従って、セレクト信号ＳＥＬには「１」がセットされている。
【００７５】
ＣＰＵ４０は、ユーザデータの記録が開始されると、一例として図７（Ｂ）に示されるように、タイミング信号ＳＴ１及びＳＴ２を「１」（ハイレベル）にセットする。なお、補正処理が終了するまで、タイミング信号ＳＴ１及びＳＴ２は「１」のままである。
【００７６】
マルチプレクサ７６は、セレクト信号ＳＥＬが「１」であるために、ローパスフィルタ７５の出力信号Ｓｌｐｆを選択し、モニタ信号Ｓｍｕｘとして再生信号処理回路２８に出力する。すなわち、図７（Ｂ）に示されるように、ほぼ平均化された発光パワー（以下、便宜上「平均パワー」ともいう）に関する情報を含む信号がモニタ信号Ｓｍｕｘとして出力される。
【００７７】
モニタ信号Ｓｍｕｘは、第２のＩ／Ｖアンプ２８ｆで電圧信号に変換され、各サンプルホールド回路及びＡ／Ｄ変換器２８ｉを介してＣＰＵ４０に出力される。ここでは、各サンプルホールド回路は、第２のＩ／Ｖアンプ２８ｆの出力信号をホールドせずにそのまま出力する。従って、Ａ／Ｄ変換器２８ｉから出力される信号ＳＰ１及び信号ＳＰ２は互いに同じ信号となる。
【００７８】
ＣＰＵ４０は、前記パワー換算式を用いて信号ＳＰ１又は信号ＳＰ２から発光パワー（この場合は平均パワー）を算出する。また、ＣＰＵ４０は、最適バイアスパワー、最適ピークパワー及び書き込み信号におけるパルスのデューティから最適な平均パワー（以下、「最適平均パワー」ともいう）を算出し、検出された平均パワーと比較するとともに、比較の結果、所定の値以上の差がある場合には、その差及び前記デューティに基づいて電流信号Ｉｐ１及びＩｐ２の少なくとも一方を修正する。そして、修正された電流信号に応じてパワー信号を修正する。これにより、スペース領域を形成するときの発光パワーを最適バイアスパワーとほぼ一致させるとともに、マーク領域を形成するときの発光パワーを最適ピークパワーとほぼ一致させることができる。なお、この場合には、各サンプルホールド回路は実質的に不要である。
【００７９】
また、光ディスク１５がＣＤ−ＲＷであって、記録速度が前記閾値未満の場合について説明する。従って、セレクト信号ＳＥＬには「０」がセットされている。
【００８０】
ＣＰＵ４０は、ユーザデータの記録が開始されると、書き込み信号に同期してタイミング信号ＳＴ２を生成し、第２のサンプルホールド回路２８ｈに出力する。ここでは、一例として図８（Ａ）に示されるように、イレーズパワーに対応する信号レベルをサンプルホールドするためのパルス信号がタイミング信号ＳＴ２として出力される。
【００８１】
マルチプレクサ７６は、セレクト信号ＳＥＬが「０」であるために、一例として図８（Ａ）に示されるように、第２のアンプ７４ｂの出力信号Ｓａｍｐを選択し、モニタ信号Ｓｍｕｘとして再生信号処理回路２８に出力する。
【００８２】
モニタ信号Ｓｍｕｘは、第２のＩ／Ｖアンプ２８ｆで電圧信号に変換され、第２のサンプルホールド回路２８ｈでサンプルホールドされた後、Ａ／Ｄ変換器２８ｉを介してＣＰＵ４０に出力される。ここでは、Ａ／Ｄ変換器２８ｉから出力される信号ＳＰ２は駆動電流Ｉｐ１＋Ｉｐ３に対応する発光パワーに関する情報を含んでいる。
【００８３】
ＣＰＵ４０は、前記パワー換算式を用いて信号ＳＰ２から発光パワーを算出するとともに、ＲＯＭ３９から抽出したイレーズパワー（以下、便宜上「最適イレーズパワー」ともいう）と比較し、所定の値以上の差がある場合には、その差に対応する電流値を予め得られている微分効率に基づいて算出し、最適なイレーズ電流を求める。ＣＰＵ４０は、この最適なイレーズ電流及び書き込み信号におけるパルスのデューティから最適なバイアス電流及び最適なピーク電流を算出する。そして、最適なバイアス電流、最適なピーク電流及び最適なイレーズ電流から電流信号Ｉｐ１、Ｉｐ２及びＩｐ３を求め、それらに応じたパワー信号Ｄｐ１、Ｄｐ２及びＤｐ３を出力する。これにより、バイアスパワー、イレーズパワー及びピークパワーを、それぞれそれらの最適値とほぼ一致させることができる。なお、この場合には、第１のサンプルホールド回路２８ｇは実質的に不要である。
【００８４】
さらに、光ディスク１５がＣＤ−ＲＷであって、記録速度が前記閾値以上の場合について説明する。従って、セレクト信号ＳＥＬには「１」にセットされている。
【００８５】
ＣＰＵ４０は、データの記録が開始されると、一例として図８（Ｂ）に示されるように、タイミング信号ＳＴ２を「１」（ハイレベル）にセットする。なお、発光パワー修正処理が終了するまで、タイミング信号ＳＴ２は「１」のままである。
【００８６】
マルチプレクサ７６は、セレクト信号ＳＥＬが「１」であるために、一例として図８（Ｂ）に示されるように、ローパスフィルタ７５の出力信号Ｓｌｐｆを選択し、モニタ信号Ｓｍｕｘとして再生信号処理回路２８に出力する。すなわち、平均パワーに関する情報を含む信号がモニタ信号Ｓｍｕｘとして出力される。
【００８７】
モニタ信号Ｓｍｕｘは、第２のＩ／Ｖアンプ２８ｆで電圧信号に変換され、第２のサンプルホールド回路２８ｈ及びＡ／Ｄ変換器２８ｉを介してＣＰＵ４０に出力される。ここでは、第２のサンプルホールド回路２８ｈは、第２のＩ／Ｖアンプ２８ｆの出力信号をホールドせずにそのまま出力する。
【００８８】
ＣＰＵ４０は、前記パワー換算式を用いて信号ＳＰ２から平均パワーを算出する。また、ＣＰＵ４０は、最適バイアスパワー、最適イレーズパワー、最適ピークパワー及び書き込み信号におけるパルスのデューティから最適平均パワーを算出し、検出された平均パワーと比較するとともに、比較の結果、所定の値以上の差がある場合には、その差及び前記デューティに基づいて電流信号を修正する。そして、修正された電流信号に応じてパワー信号を出力する。これにより、バイアスパワー、イレーズパワー及びピークパワーを、それぞれそれらの最適値とほぼ一致させることができる。なお、この場合には、各サンプルホールド回路は実質的に不要である。
【００８９】
また、光ディスク装置２０を用いて、光ディスク１５に記録されているデータを再生する場合の処理動作について簡単に説明する。
【００９０】
ＣＰＵ４０は、ホストから再生要求のコマンドを受信すると、再生速度に基づいてスピンドルモータ２２の回転を制御するための制御信号をモータドライバ２７に出力するとともに、再生要求のコマンドを受信した旨を再生信号処理回路２８に通知する。また、ＣＰＵ４０は、駆動電流出力回路２４ｃに対してバイアス電流を駆動電流とするように指示する。
【００９１】
光ディスク１５の回転が所定の線速度に達すると、前述の如くしてトラッキング制御及びフォーカス制御が行われる。なお、トラッキング制御及びフォーカス制御は再生処理が終了するまで随時行われる。また、再生信号処理回路２８は、再生処理が終了するまで所定のタイミング毎にＡＴＩＰ情報を抽出し、ＣＰＵ４０に通知する。
【００９２】
ＣＰＵ４０は、ＡＴＩＰ情報に基づいて読み出し開始地点に光ピックアップ装置２３が位置するようにシークモータを制御する信号をモータドライバ２７に出力する。そして、光ピックアップ装置２３が読み出し開始地点に到達すると、再生信号処理回路２８に通知する。
【００９３】
そして、再生信号処理回路２８は、前述の如くしてＲＦ信号を検出し、復調処理、誤り訂正処理等を行った後、バッファＲＡＭ３４に蓄積する。バッファマネージャ３７は、バッファＲＡＭ３４に蓄積された再生データがセクタデータとして揃ったときに、インターフェース３８を介してホストに転送する。
【００９４】
以上の説明から明らかなように、本実施形態に係る光ピックアップ装置では、第２のビームスプリッタ７１と、第２の検出レンズ７２と、第２の受光器７３と、第２のアンプ７４ｂとによってパワーモニタ手段が構成されている。
【００９５】
また、本実施形態に係る光ディスク装置では、再生信号処理回路２８とＣＰＵ４０及び該ＣＰＵ４０で実行されるプログラムとによってパワー補正手段が実現されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【００９６】
以上説明したように、本実施形態に係る光ピックアップ装置２３によると、半導体レーザ５１ｂから出射された光束は、その一部が第２の受光器７３で受光され、第２のアンプ７４ｂで増幅された後、ローパスフィルタ７５によって高周波成分が除去される。すなわち、ローパスフィルタ７５からは発光パワーの平均値に関する情報を含む信号が出力されることとなり、記録速度が高速であっても半導体レーザ５１ｂから出射される光束の発光パワーを安定してモニタすることができる。また、例えば第２のアンプ７４ｂにてリンギングが発生しても、ローパスフィルタ７５によってその影響を除去することが可能なため、安定したモニタ信号を出力することができる。また、ローパスフィルタ７５は安価な汎用部品で容易に構成することができる。すなわち、高コスト化を招くことなく、発光パワーの制御に必要な情報を含む信号を精度良く安定して出力することが可能となる。
【００９７】
また、本実施形態に係る光ディスク装置２０によると、光ディスク１５に情報を記録する際に、記録速度が所定の閾値未満のときには、第２の受光器７３の出力信号に基づいて半導体レーザ５１ａの発光パワーに関する情報を検出し、記録速度が所定の閾値以上のときには、ローパスフィルタ７５の出力信号に基づいて半導体レーザ５１ａの発光パワーに関する情報を検出しているために、幅広い記録速度において発光パワーに関する情報を精度良く検出することができる。従って、特に高速記録の際に半導体レーザ５１ａのＩ−Ｌ特性が変化しても常に最適な発光パワーを維持することができ、その結果として記録品質に優れた記録を高速度で安定して行うことが可能となる。
【００９８】
なお、上記実施形態では、記録速度に基づいてセレクト信号ＳＥＬに「０」又は「１」をセットする場合について説明したが、これに限らず、例えばノート型のパソコンに内臓される場合のように、光ピックアップ装置２３と再生信号処理回路２８との間の信号ケーブルの長さが所定の長さよりも長くなるときには、予めセレクト信号ＳＥＬを「１」に固定しておいても良い。この場合には、外部からセレクト信号ＳＥＬを設定できるようにするために、例えばディップスイッチなどを設けても良い。あるいは、ホストからセレクト信号ＳＥＬを設定可能としても良い。また、第２のアンプ７４ｂの出力信号Ｓａｍｐを監視し、その信号の品質が所定のレベル以下になるとセレクト信号ＳＥＬに「１」をセットする監視回路を設けても良い。
【００９９】
また、上記実施形態では、記録速度に応じて、セレクト信号ＳＥＬをセットする場合について説明したが、これに限らず、例えば図９に示されるように、マーク領域を形成するときにはセレクト信号ＳＥＬを「１」にセットし、スペース領域を形成するときにはセレクト信号ＳＥＬを「０」にセットしても良い。この場合について、図９を用いて説明する。なお、図９には光ディスクがＣＤ−ＲＷの場合のタイミングチャートが示されている。
【０１００】
ＣＰＵ４０は、一例として図９に示されるように、書き込み信号に同期して、スペース領域を形成するときの発光パワーに対応する信号レベルをサンプルホールドするためのパルス信号をタイミング信号ＳＴ１として出力し、マーク領域を形成するときの発光パワーに対応する信号レベルをサンプルホールドするためのパルス信号をタイミング信号ＳＴ２として出力するとともに、マーク領域を形成するときにはセレクト信号ＳＥＬを「１」にセットし、スペース領域を形成するときにはセレクト信号ＳＥＬを「０」にセットするようにエンコーダ２５に指示する。
【０１０１】
マルチプレクサ７６は、セレクト信号ＳＥＬが「０」のときは信号Ｓａｍｐを選択し、セレクト信号ＳＥＬが「１」のときは出力信号Ｓｌｐｆを選択して、モニタ信号Ｓｍｕｘとして再生信号処理回路２８に出力する。
【０１０２】
モニタ信号Ｓｍｕｘは、第２のＩ／Ｖアンプ２８ｆで電圧信号に変換され、各サンプルホールド回路でサンプルホールドされた後、Ａ／Ｄ変換器２８ｉを介してＣＰＵ４０に出力される。ここでは、Ａ／Ｄ変換器２８ｉから出力される信号ＳＰ１はマーク領域を形成するときの平均パワーに関する情報を含み、信号ＳＰ２は駆動電流Ｉｐ１＋Ｉｐ３に対応する発光パワーに関する情報を含んでいる。
【０１０３】
そして、ＣＰＵ４０は、信号ＳＰ２に基づいて駆動電流Ｉｐ１＋Ｉｐ３に対応する発光パワーを算出し、最適なイレーズ電流を求める。さらに、ＣＰＵ４０は、信号ＳＰ１に基づいてマーク領域を形成するときの平均パワーを算出し、最適バイアスパワー、最適ピークパワー及び書き込み信号におけるパルスのデューティから最適平均パワーを算出し、前述と同様にして電流信号Ｉｐ１及びＩｐ２を修正する。また、信号ＳＰ２から求めた最適なイレーズ電流と修正された電流信号Ｉｐ１とから電流信号Ｉｐ３を修正する。そして、修正された電流信号Ｉｐ１、Ｉｐ２及びＩｐ３に応じてパワー信号Ｄｐ１、Ｄｐ２及びＤｐ３をそれぞれ出力する。これにより、バイアスパワー、イレーズパワー及びピークパワーを、それぞれそれらの最適値とほぼ一致させることができる。なお、光ディスク１５がＣＤ−Ｒの場合であっても、ほぼ同様にして発光パワーを補正することができる。
【０１０４】
また、上記実施形態では、サンプルホールド回路が２つ設けられる場合について説明したが、これに限らず、例えば光ディスク１５がＣＤ−Ｒであってバイアスパワー又はピークパワーのみを検出する場合にはサンプルホールド回路は１つであっても良い。これにより、低コスト化を促進することができる。
【０１０５】
また、上記実施形態では、マルチプレクサ７６が光ピックアップ装置に実装される場合について説明したが、これに限らず、例えば再生信号処理回路２８にマルチプレクサ７６と同様な処理を行う処理回路を付加しても良い。
【０１０６】
また、上記実施形態において、記録速度が常に所定の閾値以上となることがほぼ確実な場合には、ローパスフィルタ７５の出力信号が常に再生信号処理回路２８に出力されるように設定しても良い。この場合にはマルチプレクサ７６がなくても良い。
【０１０７】
また、上記実施形態では、ローパスフィルタ７５が光ピックアップ装置に実装される場合について説明したが、本発明がこれに限定されるものではなく、例えばローパスフィルタ７５とマルチプレクサ７６とが光ピックアップ装置とは別に配置されても良い。但し、第２のアンプ７４ｂとローパスフィルタ７５との距離はできるだけ短いのが好ましい。
【０１０８】
また、上記実施形態では、モニタ用光束を抽出するために、第２のビームスプリッタ７１をコリメートレンズ５２と第１のビームスプリッタ５４との間に配置する場合について説明したが、これに限らず、例えば半導体レーザ５１ａから出射された光束のうちコリメートレンズ５２に取り込まれない光束を反射ミラーなどで分岐しても良い。要するに、半導体レーザ５１ａから出射された光束の発光パワーに関する情報が得られれば良い。なお、必ずしも出射された光束を分岐する必要はなく、半導体レーザ５１ａから出射された光束の一部を直接第２の受光器７３で受光しても良い。
【０１０９】
また、上記実施形態では、光ディスク装置がＣＤ系の情報記録媒体に対応する場合について説明したが、これに限定されるものではなく、例えばＤＶＤ系の情報記録媒体に対応する光ディスク装置であっても良い。要するに、光源からレーザ光をパルス発光して情報を記録する光ディスク装置であれば良い。
【０１１０】
また、上記実施形態では、情報の記録及び再生が可能な光ディスク装置について説明したが、これに限らず、情報の記録、再生及び消去のうち、少なくとも情報の記録が可能な光ディスク装置であれば良い。また、光ディスク装置はパソコン内蔵型であっても、外部据え置き型であっても良い。さらに、内蔵型の場合には、パソコンはデスクトップタイプであっても、ノートタイプであっても良い。
【０１１１】
また、上実施形態では、光源が１つの場合について説明したが、本発明がこれに限定されるものではない。例えば、ＣＤ用の光源とＤＶＤ用の光源とを備えていても良い。さらに、ＣＤ用の光源及びＤＶＤ用の光源とともに、あるいはいずれかの光源に代えて、波長が４０５ｎｍの光束を出射する光源を備えても良い。すなわち、複数種類の情報記録媒体に対応した光ディスク装置であっても良い。
【０１１２】
【発明の効果】
以上説明したように、本発明に係る光ピックアップ装置によれば、高コスト化を招くことなく、発光パワーの制御に必要な情報を含む信号を精度良く安定して出力することができるという効果がある。
【０１１３】
また、本発明に係る光ディスク装置によれば、記録品質に優れた記録を高速度で安定して行うことができるという効果がある。
【図面の簡単な説明】
【図１】本発明の一実施形態に係る光ディスク装置の構成を示すブロック図である。
【図２】図１における光ピックアップ装置の詳細構成を説明するための図である。
【図３】図１における再生信号処理回路の詳細構成を説明するためのブロック図である。
【図４】図１におけるレーザコントロール回路の詳細構成を説明するためのブロック図である。
【図５】図５（Ａ）は単パルス記録方式における駆動電流を説明するための図であり、図５（Ｂ）はマルチパルス記録方式における駆動電流を説明するための図である。
【図６】図６（Ａ）は単パルス記録方式における重畳フラグ信号を説明するための図であり、図６（Ｂ）はマルチパルス記録方式における重畳フラグ信号を説明するための図である。
【図７】図７（Ａ）及び図７（Ｂ）は、それぞれ単パルス記録方式において、発光パワーのモニタ信号を取得するためのサンプリング回路のタイミング信号及びマルチプレクサの出力信号を説明するためのタイミングチャートである。
【図８】図８（Ａ）及び図８（Ｂ）は、それぞれマルチパルス記録方式において、発光パワーのモニタ信号を取得するためのサンプリング回路のタイミング信号及びマルチプレクサの出力信号を説明するためのタイミングチャートである。
【図９】マルチパルス記録方式において、図８（Ｂ）とは異なる例を説明するためのタイミングチャートである。
【図１０】図１０（Ａ）〜図１０（Ｃ）は、それぞれ記録方式による発光パルスの違いを説明するためのタイミングチャートである。
【符号の説明】
１５…光ディスク（情報記録媒体）、２０…光ディスク装置、２３…光ピックアップ装置、２８…再生信号処理回路（パワー補正手段の一部）、２８ｇ…第１のサンプルホールド回路（第１のサンプルホールド手段）、２８ｈ…第２のサンプルホールド回路（第２のサンプルホールド手段）、４０…ＣＰＵ（パワー補正手段の一部）、７５…ローパスフィルタ、７６…マルチプレクサ（選択手段）。
【図１】
2004199818.tif 000003
【図２】
2004199818.tif 000004
【図３】
2004199818.tif 000005
【図４】
2004199818.tif 000006
【図５】
2004199818.tif 000007
【図６】
2004199818.tif 000008
【図７】
2004199818.tif 000009
【図８】
2004199818.tif 000010
【図９】
2004199818.tif 000011
【図１０】
2004199818.tif 000012